(57)【要約】  本発明は、マルチメディア放送/マルチキャストサービスを提供する移動通信システムに関し、ユーザー端末機が所望の放送サービスを提供することができる選好セルを再選択する方法及び装置を提供する。ユーザ端末機は無線ネットワーク制御器からＭＢＭＳを支援する選好周波数情報を含むシグナリングを受信し、シグナリングに含まれている周波数及びセル情報を用いてＭＢＭＳサービスを提供するセルを選択し、選択されたセルを通じてＭＢＭＳを受信する。
2007536871.tif 000002
【特許請求の範囲】
【請求項１】
少なくとも一つ以上のユーザー端末機と、同一の領域で相互に異なる周波数をサービスする複数のセルを制御する無線ネットワーク制御器とを含む移動通信システムにおいて、複数のセルの中、所望の放送サービスを提供しないセルに位置したユーザー端末機が、前記所望の放送サービスを提供するセルを再選択する方法であって、
受信部が、前記無線ネットワーク制御器から前記放送サービスの選好周波数情報を含むシグナリングを受信するステップと、
測定部が、ユーザー端末機が前記放送サービスに加入したかを確認し、確認結果、ユーザー端末機が前記放送サービスに加入したら、前記放送サービスを提供するセルに対してセル再選択のためのパラメータ値を測定するステップと、
制御部とセル再選択判断部が協働し、これらが、前記測定結果によって、前記選好周波数を提供する複数のセルのうち一つを選択するステップと、
前記受信部が、前記選択されたセルから前記放送サービスを受信するステップと、を含むことを特徴とする前記方法。
【請求項２】
前記選好周波数情報は、前記放送サービスに対するサービス識別子と、前記選好周波数を提供するセルの識別子と、前記放送サービスのオフセット値と、を含むことを特徴とする請求項１記載の方法。
【請求項３】
前記複数のセルのうち一つを選択するステップは、前記セル再選択判断部が、
ユーザー端末機が前記放送サービスのオフセット値を用いて前記選好周波数を提供するセルの再選択のための値を計算し、前記計算された再選択のための値が予め定められた条件を満足するかを判断し、該当条件を満足する場合、前記複数のセルの中、最も高い再選択のための値を有するセルを再選択する段階を含むことを特徴とする請求項２記載の方法。
【請求項４】
前記再選択のための値は、該当セルの品質値(Squal)と、該当セルの受信周波数レベル値(Srxlev)とを含むことを特徴とする請求項３記載の方法。
【請求項５】
前記品質値は、次式により計算されることを特徴とする請求項４記載の方法。
【数１】
2007536871.tif 000007
ここで、Qualmeansは測定されたセルの品質値であり、Qqualminは前記セルで最小に要求する品質レベル値であり、ＭＢＭＳ_offsetは前記放送サービスのオフセット値である。
【請求項６】
前記受信周波数レベル値は、次式により計算されることを特徴とする請求項４記載の方法。
【数２】
2007536871.tif 000008
ここで、Qrxlevmeasは測定されたセルの受信周波数レベルの測定値であり、Qrxlevminは前記セルで最小に要求する受信周波数レベルであり、Ｐ_補償(P_compensation)はユーザー端末機の送信電力と０のうち、大きい値であり、ＭＢＭＳ_offsetは前記放送サービスのオフセット値である。
【請求項７】
前記該当条件は、該当セルがＦＤＤ(Frequency Division Duplex)セルである場合、計算されたS_qualとS_rxlevが０より大きく、該当セルがＴＤＤ(Time Division Duplex)セルである場合、前記計算されたSrxlevが０より大きいであることを特徴とする請求項４記載の方法。
【請求項８】
ユーザー端末機は、前記放送サービスの開始を知らせるセッションスタートメッセージの受信前に、前記放送サービスを提供するセルに対する情報を含む通知メッセージを無線ネットワーク制御器のシグナリングを通じて受信することを特徴とする請求項１記載の方法。
【請求項９】
少なくとも一つ以上のユーザー端末機と、同一の領域で相互に異なる周波数をサービスする複数のセルを制御する無線ネットワーク制御器とを含む移動通信システムにおいて、前記複数のセルの中、所望の放送サービスを提供しないセルに位置したユーザー端末機が、前記所望の放送サービスを提供するセルを再選択する装置であって、
前記無線ネットワーク制御器から前記放送サービスの選好周波数情報を含むシグナリングを受信する受信部と、
ユーザー端末機が前記放送サービスに加入したかを確認し、ユーザー端末機が前記放送サービスに加入したら、前記放送サービスを提供するセルに対してセル再選択のためのパラメータを測定する測定部と、
前記受信部から選好周波数情報を獲得し、セル再選択のための条件によってセルの再選択を指示する制御部と、
前記測定された品質値と前記制御部から伝送された選好周波数情報を用いて選好周波数を提供するセルの再選択のための値を計算し、前記計算されたセル再選択のための値が該当条件を満足するか判断し、前記制御部の指示に応じて該当条件を満足する複数のセルのうち、再選択のための最も高い値を有するセルを再選択するセル再選択判断部と、を含むことを特徴とする前記装置。
【請求項１０】
前記選好周波数情報は、前記放送サービスに対するサービス識別子と、前記選好周波数を提供するセルの識別子と、前記放送サービスのオフセット値と、を含むことを特徴とする請求項９記載の装置。
【請求項１１】
前記セル再選択判断部は、前記放送サービスのオフセット値を用いて前記再選択のための値を計算することを特徴とする請求項９記載の装置。
【請求項１２】
前記再選択のための値は、該当セルの品質値(Squal)と該当セルの受信周波数レベル値(Srxlev)とを含むことを特徴とする請求項１１記載の装置。
【請求項１３】
前記品質値は、次式により計算されることを特徴とする請求項１２記載の装置。
【数３】
2007536871.tif 000009
ここで、Qualmeansは測定されたセルの品質値であり、Qqualminは前記セルで最小に要求する品質レベル値であり、ＭＢＭＳ_offsetは前記放送サービスのオフセット値である。
【請求項１４】
前記受信周波数レベル値は、次式により計算されることを特徴とする請求項１２記載の装置。
【数４】
2007536871.tif 000010
ここで、Qrxlevmeasは測定されたセルの受信周波数レベルの測定値であり、Qrxlevminは前記セルで最小に要求する受信周波数レベルであり、Ｐ_補償(P_compensation)はユーザー端末機の送信電力と０のうち、大きい値であり、ＭＢＭＳ_offsetは前記放送サービスのオフセット値である。
【請求項１５】
前記制御部は、前記セル再選択判断部が、前記計算されたパラメータ値が前記該当条件を満足するか判断し、前記該当条件を満足する場合、前記セルの中、最も高い再選択のための値を有するセルを選択するように制御することを特徴とする請求項１２記載の装置。
【請求項１６】
前記該当条件は、該当セルがＦＤＤ(Frequency Division Duplex)セルである場合、計算されたS_qualとS_rxlevが０より大きく、該当セルがＴＤＤ(Time Division Duplex)セルである場合、前記計算されたSrxlevが０より大きいであることを特徴とする請求項１５記載の装置。
【請求項１７】
ユーザー端末機は、前記放送サービスの開始を知らせるセッションスタートメッセージの受信前に、前記放送サービスを提供するセルに対する情報を含む通知メッセージを無線ネットワーク制御器のシグナリングを通じて受信することを特徴とする請求項９記載の装置。
【発明の詳細な説明】
【技術分野】
【０００１】
本発明は、マルチメディア放送/マルチキャストサービス(Multimedia Broadcast/Multicast Service:以下、「ＭＢＭＳ」と称する。)を提供する移動通信システムに関し、特に、ユーザー端末機がＭＢＭＳサービスによってセルを再選択する方法及び装置に関する。
【背景技術】
【０００２】
最近、通信技術の発達に伴い、移動通信システムで提供するサービスは、従来の音声サービスだけでなく、パケットデータ、サーキットデータなどのような大容量のデータを伝送するパケットサービス通信と、マルチメディアサービスを伝送するマルチメディア放送/通信とに発展されつつある。したがって、上記マルチメディア放送/通信を支援するために、一つ又は複数のマルチメディアデータソースから複数のユーザー端末機(User Equipment、以下、「ＵＥ」と称する。)にサービスを提供するマルチメディア放送/マルチキャストサービス(Multimedia Broadcast/Multicast Service、以下、「ＭＢＭＳ」と称する。)が論議されている。
【０００３】
ＭＢＭＳは、無線ネットワークを介して同一のマルチメディアデータを複数の受信者に伝送するサービスのことである。このとき、複数の受信者が一つの無線チャンネルを共有するようにすることで、無線伝送リソースを節約することができる。以下、本発明の説明では、移動通信ネットワークに対する一例として、３世代非同期移動通信ネットワークの標準である３ＧＰＰ(3rd Generation Project Partnership:以下、「３ＧＰＰ」と称する。)を例として説明するが、その他のＭＢＭＳを使用する他の移動通信ネットワークで本発明を適用して使用することができる。
【０００４】
また、ＭＢＭＳサービスを提供する移動通信ネットワークの構造は、次のようである。
まず、ユーザー端末機(ＵＥ)は、ＭＢＭＳサービスを受信することができるユーザー端末機装置又は加入者を意味し、一つのセルには複数のＵＥが存在可能である。上記セルは複数のＵＥにＭＢＭＳ関連データを無線伝送する基地局装置、すなわちノードＢにより制御され、無線ネットワーク制御器(Radio Network Controller;以下、「ＲＮＣ」と称する。)は、上記複数のセルを制御する。すなわち、ＲＮＣは、ＭＢＭＳデータを特定セルに選別的に伝送し、ＭＢＭＳサービスを提供するために設定されている無線チャンネルを制御する。
【０００５】
図１Ａ及びＢは、同じサービス地域に重畳しているセルレイヤー構造を示す図である。
図１Ａは、同じサービス地域に同じサイズのセルが異なる周波数で重畳されているセル構造を示す。図１Ｂは、同じサービス地域に異なるサイズのセルが異なる周波数で重畳されているセル構造を示す。
図１Ａを参照すると、同じサービス地域に同じサイズのセルが異なる周波数、すなわち、第１の周波数ｆ１、第２の周波数ｆ２が重畳されているセル構造を示す。この場合、それぞれのセルを“マクロセル(macro cell)”と称し、連続的なマクロセルで構成される一つの層をレイヤー(Layer)と称する。すなわち、図１Ａでは、周波数ｆ１にサービスされる連続的なマクロセルで構成されるレイヤー１と、周波数ｆ２にサービスされる連続的なマクロセルで構成されるレイヤー２とが重畳されている。
図１Ａのようなセル構造で、ＭＢＭＳサービスのためのレイヤーがレイヤー２と仮定すれば、レイヤー１に位置するユーザー端末機は、該当ＭＢＭＳサービスのセッションが開始される時、又は該当ＭＢＭＳサービスのセッションの中に、レイヤー２を再選択しなければならない。
【０００６】
上述したように、該当ＭＢＭＳサービスを受信するために、ユーザー端末機がセルを再選択する方法を周波数レイヤーコンバージェンス(Frequency Layer Convergence、以下、「ＦＬＣ」と称する。)と定義する。また、ＦＬＣによると、ＵＴＲＡＮが該当ＭＢＭＳサービスを受けようとするユーザー端末機にシグナリングとして再選択を指示する。すなわち、ＵＴＲＡＮがレイヤー１に位置する複数のユーザー端末機にレイヤー２を再選択することを指示する。
【０００７】
上記では、ＭＢＭＳサービスに対する選好周波数レイヤー(Preferred Layer、以下、「ＰＬ」と称する。)をレイヤー２として設定して例示したが、これは地域によって変わることもある。例えば、図１Ａでは、一部地域ではレイヤー２がＰＬになるが、一部地域ではレイヤー１がＰＬになることもある。これは、運営者のセル構造政策と現在使用されているセルの無線通信資源の状況によって、ＭＢＭＳサービスのＰＬが決定されるためである。
【０００８】
上述したＦＬＣは、図１Ｂのように同じサービス地域に異なるサイズのセルが異なる周波数(周波数１、周波数２)で重畳されている階層セル構造(Hierarchical Cell Structure、以下、「ＨＣＳ」と称する。)でも同様に適用される。ＨＣＳの構成は、多様なパターンを有することができる。図１Ｂを参照すると、ＨＣＳは周波数ｆ２にサービスされる連続的なマクロセルと、周波数ｆ１にサービスされる連続的なマイクロ(micro)セルとを含む。上記ＨＣＳでは、ＭＢＭＳサービスのためのレイヤーが周波数ｆ２にサービスされるマクロレイヤーと仮定すると、マイクロレイヤーに位置するユーザー端末機は、ＦＬＣによりマクロレイヤーを再選択しなければならない。
【０００９】
図２は、図１で説明したＦＬＣに対するシグナリングのフローチャートである。
ここで、図２では特定のＭＢＭＳサービスを例示する。ＭＢＭＳサービスに対するＰＬは、全体ＭＢＭＳとして定義されるか、又はそれぞれのＭＢＭＳサービス別に定義されることができ、これは現在３ＧＰＰ標準で論議中である。また、上記ＰＬに対する定義は、ＭＢＭＳサービス受信するユーザー端末機のためのメジャーメントには影響を及ばない。
【００１０】
図２を参照すると、２０１はＭＢＭＳサービスの非選好周波数レイヤー(Non-Preferred Layer、以下、「ＮＰＬ」と称する。)を示し、２０２は選好周波数レイヤー(Preferred Layer)を示し、２０３はＭＢＭＳサービスのためのＲＮＣを示す。２１１はＲＮＣ２０３がコアネットワーク(Core Network)から該当ＭＢＭＳサービスに対するセッションスタート(Session Start)メッセージを受信することを示す。ここで、上記セッションスタートメッセージは、上記サービスを登録したＵＥと上記ＵＥが位置しているネットワークノードに、ＭＢＭＳデータが伝送されることを知らせることで、ＭＢＭＳサービスのためのラジオベアラー設定などのような作業を遂行することを知らせる。セッションスタート(Session Start)メッセージは、ＭＢＭＳデータのサービス品質(Quality of Service、以下、「ＱｏＳ」と称する。)情報とＭＢＭＳサービス領域(ＭＢＭＳ Service Area)情報などを含む。
【００１１】
ＲＮＣ２０３はＦＬＣのための通知(Notification)メッセージ２２１をＮＰＬ２０１に伝送する。通知メッセージ２２１は、サービス識別子(service ID)、選好周波数、ＭＢＭＳオフセット(ＭＢＭＳ offset)で構成されたＰＬに対する情報を含む。通知メッセージ２２１を受信すると、ＮＰＬ２０１に位置したユーザー端末機は、通知メッセージ２２１に含まれたＰＬ２０２の情報に基づいてＰＬ２０２を再選択する。その後、ＭＢＭＳサービスによるセッションが開始されると、ＲＮＣ２０３はＭＢＭＳサービスを受信しようとするユーザー端末機の数を把握するカウンティング手続き、チャンネルタイプ決定、ラジオベアラー決定などを遂行する。
【００１２】
すると、ＲＮＣ２０３は周期的なメッセージ２５１、２５２を用いて上記ＰＬに対する情報をＮＰＬに周期的に伝送する。ここで、周期的なメッセージ２５１、２５２は、ユーザー端末機の移動性を支援するために、通知メッセージ２２１と同一の情報を含む。
例えば、第３の他のセルからＮＰＬ２０１に移動した任意のユーザー端末機は、周期的に伝送される周期的なメッセージ２５１、２５２を受信し、上記サービスＩＤとＰＬ情報に基づいてＰＬ２０２を再選択して、ＭＢＭＳサービスを連続的に受信することができる。
【００１３】
図３はＭＢＭＳサービスを受信しようとするユーザー端末機が現在３ＧＰＰ Ｒ９９標準で定義されているメジャーメント方法に従う場合、発生可能な問題点を図示する。
図３を参照すると、セル構造は、４個の周波数帯域で構成され、二つの地域を担当している重畳されたセルを含む。二つの地域で第２の周波数ｆ２がＰＬとして存在すれば、第１の周波数ｆ１、第３の周波数ｆ３、第４の周波数ｆ４のレイヤーのＭＢＭＳサービスを受信しようとするユーザー端末機は、ＭＢＭＳセッションの開始前にＦＬＣシグナリングを受信した場合に、またはＭＢＭＳセッションの遂行中にＦＬＣシグナリングを受信した場合に、第２の周波数ｆ２にサービスされるレイヤーを再選択しなければならない。
【００１４】
このとき、３ＧＰＰ Ｒ９９標準で定義されているセル再選択方法によれば、セル再選択は、下記のような問題点を有する。
一番目に、上記セル再選択の遂行前に、アイドルモード、ＣＥＬＬ_ＦＡＣＨ、ＣＥＬＬ_ＰＣＨ、ＵＲＡ_ＰＣＨ状態のユーザー端末機は、ＰＬに対するメジャーメントを遂行するようになり、上記メジャーメントの結果、最も周波数レベルの状態が良好なセルを再選択する。しかしながら、ユーザー端末機が上記メジャーメントを常に遂行することではない。すなわち、ユーザー端末機は一定のメジャーメント方法によって上記メジャーメントを遂行し、これは現在セルの周波数レベルが一定のしきい値以下になる前にはメジャーメントを遂行しない。
【００１５】
例えば、周波数内のメジャーメント(intra-frequency measurement)は、現在セルのラジオ測定値(Ｓｘ)が周波数内のメジャーメントのしきい値(Sintrasearch)よりも小さい場合、ユーザー端末機が周波数内のメジャーメントを遂行する。他の例として、周波数間メジャーメント(inter-frequency measurement)は、現在セルのラジオ測定値(Ｓｘ)が周波数間メジャーメントのしきい値(Sintersearch)よりも小さい場合、ユーザー端末機が周波数間メジャーメントを遂行する。
【００１６】
上述した３ＧＰＰ Ｒ９９に定義されているメジャーメント方法によると、図３の３０１のように、第１の周波数ｆ１にサービスされるレイヤーに位置するユーザー端末機が第２の周波数ｆ２のＰＬを再選択できない場合が発生する。これは、周波数ｆ２のＰＬの無線通信レベルがセル再選択するのに充分であるとしても、現在セルのラジオ測定値(Ｓｘ)が周波数間メジャーメントのしきい値(Sintersearch)より大きいであれば、セル再選択のための周波数内メジャーメント、または周波数間メジャーメントを遂行しないからである。
従いまして、第１の周波数ｆ１のレイヤーに位置するユーザー端末機は、ＦＬＣ遂行のためのシグナリングを受信するとしても、現在セル(すなわち、周波数ｆ１のレイヤー)の周波数状況が良好であるから、周波数間メジャーメントを遂行せずに、第２の周波数ｆ２のレイヤーを再選択しない。従いまして、第１の周波数ｆ１のレイヤーに位置するユーザー端末機は、ＰＬから提供されるＭＢＭＳサービスを受信できない問題点が発生する。
【００１７】
二番目に、３ＧＰＰ Ｒ９９標準で定義されているメジャーメント方法に従う場合、発生しうるもう一つの問題点を図３の３０２で示す。
３０２で、もし第１の周波数ｆ１のレイヤーに位置するユーザー端末機が周波数間メジャーメントを遂行し、周波数ｆ２のレイヤーがセル再選択のための最小値よりも良い無線通信状態を有するとしても、もし第４の周波数ｆ４のセルが周波数ｆ２のセルよりも、より良い無線通信状態であれば、ユーザー端末機はＰＬである周波数ｆ２のセルを再選択することでなく、周波数ｆ４のセルを再選択するようになる。すなわち、ＰＬのセルがセル再選択をするのに充分であるとしても、より良好な無線通信状態のＮＰＬのセルが存在すれば、ＮＰＬのセルを再選択するようになり、ユーザー端末機はＰＬから提供されるＭＢＭＳサービスを受信できない問題点が発生する。
【発明の開示】
【発明が解決しようとする課題】
【００１８】
したがって、上記のように動作する従来技術の問題点を解決するために創案された本発明の目的は、ＭＢＭＳサービスを提供する移動通信システムにおけるユーザー端末機のセル再選択方法を提供することにある。
本発明の他の目的は、移動通信システムでＭＢＭＳサービスを受信しようとするユーザー端末機の効率的なセル選択のためのメジャーメント方法を提供することにある。  
本発明のさらに他の目的は、ＭＢＭＳサービスを提供する移動通信システムでセルメジャーメント方法を適用することにあって、ＭＢＭＳオフセットの適用方法を提供することにある。
本発明のさらに他の目的は、ＭＢＭＳサービスを提供する移動通信システムで階層構造と非階層レイヤー構造を考慮してＭＢＭＳオフセットを適用する方法を提供することにある。
【課題を解決するための手段】
【００１９】
上記の目的を達成するために、本発明は、少なくとも一つ以上のユーザー端末機と、同一の領域で相互に異なる周波数をサービスする複数のセルを制御する無線ネットワーク制御器とを含む移動通信システムにおいて、複数のセルの中、所望の放送サービスを提供しないセルに位置したユーザー端末機が所望の放送サービスを提供するセルを再選択する方法であって、受信部が無線ネットワーク制御器から放送サービスの選好周波数情報を含むシグナリングを受信するステップと、測定部がユーザー端末機が上記放送サービスに加入したかを確認し、確認結果、ユーザー端末機が放送サービスに加入したら、放送サービスを提供するセルに対してセル再選択のためのパラメータ値を測定するステップと、制御部とセル再選択判断部が協働し、これらが測定結果によって、選好周波数を提供する複数のセルのうち一つを選択するステップと、受信部が選択されたセルから放送サービスを受信するステップと、を含むことを特徴とする。
【００２０】
本発明は、少なくとも一つ以上のユーザー端末機と、同一の領域で相互に異なる周波数をサービスする複数のセルを制御する無線ネットワーク制御器とを含む移動通信システムにおいて、複数のセルの中、所望の放送サービスを提供しないセルに位置したユーザー端末機が所望の放送サービスを提供するセルを再選択する装置であって、無線ネットワーク制御器から放送サービスの選好周波数情報を含むシグナリングを受信する受信部と、ユーザー端末機が放送サービスに加入したかを確認し、ユーザー端末機が放送サービスに加入したら、放送サービスを提供するセルに対してセル再選択のためのパラメータを測定する測定部と、受信部から選好周波数情報を獲得し、セル再選択のための条件によってセルの再選択を指示する制御部と、測定された品質値と制御部から伝送された選好周波数情報を用いて選好周波数を提供するセルの再選択のための値を計算し、計算されたセル再選択のための値が該当条件を満足するか判断し、制御部の指示に応じて該当条件を満足する複数のセルのうち、再選択のための最も高い値を有するセルを再選択するセル再選択判断部と、を含むことを特徴とする。
【発明の効果】
【００２１】
本発明によると、ユーザー端末機がＦＬＣシグナリングを受信した後、現在セルの階層構造を区分して該当ＭＢＭＳサービスを受信することができる利点を有する。また、ＦＬＣシグナリングに含まれているＭＢＭＳオフセットをセル再選択のための値に用いて、セル再選択が連続的に遂行される場合に発生し得るピンポン現象を防止することができるという利点を有する
【発明を実施するための最良の形態】
【００２２】
以下、添付図面に基づき、本発明の好適な実施形態について詳細に説明する。また、本発明の説明において、本発明に関連した公知の機能や構成についての具体的な説明が、本発明の要旨を不明瞭にすると判断される場合には、その詳細な説明を省略する。
本発明は、移動通信システムでマルチメディア放送/マルチキャストサービスを提供するユーザー端末機のためのメジャーメント方法を提供することにある。特定ＭＢＭＳサービスに加入してＭＢＭＳサービスを受信しようとするユーザー端末機は、ＵＴＲＡＮからシグナリングを受信することによって、選好周波数レイヤー(ＰＬ)に移動する。このとき、現在３ＧＰＰ Ｒ９９で定義されている既存のメジャーメント方法に従って、現在セルの無線通信レベルが充分であれば、ユーザー端末機はメジャーメントを全く遂行しなかったり、又は現在セルの無線通信レベルが充分でなくてメジャーメントを遂行するとしても、上記指示を受けたＰＬを再選択しないこともある。これは現在３ＧＰＰ Ｒ９９で定義されているメジャーメント方法がＭＢＭＳサービスに関係なく定義されており、これは上記ＰＬに対するメジャーメント結果がセル再選択をするのに、ある程度充分であるとしても、非選好周波数レイヤー(ＮＰＬ)に属するセルがより良いラジオメジャーメント結果を有すると、ＮＰＬに属するセルを再選択するからである。
【００２３】
従いまして、本発明では、ＭＢＭＳサービスに加入したユーザー端末機のためのメジャーメント方法を差別的に定義し、ＭＢＭＳサービスを受信するユーザー端末機が上記サービスのＰＬに移動して上記サービスを受信することができる方法を提案する。また、本発明は現在標準案である３ＧＰＰ Ｒ９９との互換性(Backward Compatibility)を考慮して、ＭＢＭＳサービスを受信することができる方法を提案する。
これと関連して、現在３ＧＰＰ Ｒ９９の標準には、セル再選択のためのパラメータとしてＳ(S criteria)値を定義しており、上記Ｓ値を満足するセルに対して順位を付与するＲ(R criteria)値を定義している。このとき、Ｓ値を満足するセルがセル再選択の資格を有することができ、複数のセルがＳ値を満足する場合には、上記Ｒ値を計算して最も高いＳ値の順序にセルを再選択する。このような方法が本発明で適用されることは自明である。
【００２４】
本発明では上記図３で説明した問題点を解決するために、ＮＰＬに位置するユーザー端末機は、ＭＢＭＳサービスのセッション開始前のＦＬＣの遂行を指示するシグナリング、またはＭＢＭＳサービスのセッションの中の周期的なシグナリングを受信すると、メジャーメントを遂行することを提案する。
すなわち、ＭＢＭＳサービスに加入したユーザー端末機は、ＦＬＣ指示を受信すると、現在セルの無線通信状態とは関係なく、隣接セルに対するメジャーメントを遂行する。言い換えれば、現在セルのラジオ測定値(Ｓｘ)が周波数間メジャーメントのしきい値/周波数内のメジャーメントしきい値(Sintrasearch)よりも大きいとしても、メジャーメントを遂行することによって、上記従来技術で指摘した第１の問題点を解決することができる。
また、従来技術の第２の問題点を解決するためには、ＵＴＲＡＮから伝送されたＭＢＭＳオフセット(offset)値をセル再選択のための最小値であるＳ値として適用する。すなわち、ＭＢＭＳサービスを受けるユーザー端末機がＰＬへの再選択を遂行する時、ＰＬはＭＢＭＳオフセット値によりＮＰＬよりも高い優先順位を有することができる。
【００２５】
一般に、Ｓ値(S-criteria)は、下記の＜数１＞、＜数２＞のようにS_qualとS_rxlevで計算される。
ＦＤＤ(Frequency Division Duplex)セル:Srxlev＞０ and Squal＞０
ＴＤＤ(Time Division Duplex)セル:Srxlev＞０
【００２６】
【数１】
2007536871.tif 000003
【００２７】
【数２】
2007536871.tif 000004
【００２８】
ここで、Srxlevはセル選択のためのＲＸレベル値(Cell selection Rx   level value)(dB)を示し、Squalはセル選択のための品質値(Cell selection quality value)(dB)を示す。ここで、SqualはＦＤＤセルのみに適用される。すなわち、ＦＤＤセルの場合、セル選択のためのＲＸレベル値と品質値が０より大きい値を有する場合、セル再選択のための最小資格を持つようになる。また、QqualmeasはＣＰＩＣＨのＥｃ／Ｎｏに対応する測定されたセル品質値(Measured cell quality value)(dB)を示し、Qqualminはセルで最小に要求する品質レベル値(Minimum required quality level in the cell)(Db)を示す。すなわち、Squal値が０より大きい値を有するようにするために、測定セルで測定したＣＰＩＣＨのＥｃ／Ｎｏの値が上記セルで最小に要求する一定値より大きくなければならない。Qrxlevmeasは測定されたセルのＲＸレベル値(Measured cell Rx level value)を示し、ＦＤＤではＣＰＩＣＨのＲＳＣＰ(Received Signal Code Power)値で計算され(dBm)、ＴＤＤではＰ−ＣＣＰＣＨのＲＳＣＰの値(dBm)で計算される。Qrxlevminはセルで最小に要求するＲＸレベル(dBm)を示す。Ｐ_補償(P_compensation)はmax(UE_TXPWR_MAX_RACH-P_MAX,０)(dB)で計算される。すなわち、Srxlev値が０より大きい値を有するように設定するためには、測定セルで測定したＣＰＩＣＨ(ＦＤＤ)、Ｐ−ＣＣＰＣＨ(ＴＤＤ)のＲＳＣＰ値が最小に要求する一定値と補償値との和より大きくなければならない。
【００２９】
例えば、ＦＤＤセルの場合、上述したSqual値とSrxlev値が０より大きいと、セル再選択のための最小値であるＳ値(S-criteria)を満足することによって、セル再選択の機会を持つことができる。しかしながら、Ｓ値(S criteria)は、セル再選択のための最小値であるので、上記値のみでセルを再選択すれば、再選択されたセルはＳ値(S criteria)を満足させない可能性が高く、これは連続的なセル再選択動作を遂行する一連のピンポン現象の短所を誘発することができる。このような問題を解決するために、下記＜数３＞と＜数４＞のように、ＭＢＭＳ_offset値をＳ値(S criteria)計算に適用することによって、上記短所を補完する。
【００３０】
【数３】
2007536871.tif 000005
【００３１】
【数４】
2007536871.tif 000006
【００３２】
＜数３＞と＜数４＞に基づいて、ＮＰＬに位置するユーザー端末機は、ＦＬＣを指示するシグナリング情報に含まれたＰＬ情報(周波数情報、又は特定セルに対する情報)とＭＢＭＳオフセット情報を用いて隣接セルに対するメジャーメントを遂行する。
【００３３】
このとき、現在３ＧＰＰ Ｒ９９のメジャーメント方法によれば、周波数間のメジャーメントを遂行するとき、すべての周波数を測定する。例えば、Ｓｘ＜Sintersearchである条件を満足する場合に、すべての周波数に対してメジャーメント遂行し、＜数１＞と＜数２＞でのように、S_qualとS_rxlevを計算する。しかしながら、本発明によると、上記ＰＬ情報に含まれた周波数(又は特定セル)に対してのみメジャーメントを遂行する。
これは、＜数３＞と＜数４＞でのように、ＭＢＭＳオフセット値をＳ値(S criteria)に適用することにより、Ｓ値が実際３ＧＰＰ Ｒ９９で定義されたセル再選択のための最小値でなく、ＭＢＭＳオフセットに基づいたセル再選択のための無線通信レベルを示すからである。また、上記選択された周波数(又は特定セル)に対してメジャーメントを遂行するから、全体周波数に対するメジャーメントを遂行する場合に比べて、ユーザー端末機の動作上の負担感を減らして電力消耗浪費減少、メジャーメントによる遅延時間減少などの効果を有する。
【００３４】
言い換えれば、＜数３＞と＜数４＞は、ＮＰＬに位置するユーザー端末機に適用され、これは上記ユーザー端末機がＦＬＣを指示するシグナリングを受信した時に適用される。すなわち、ユーザー端末機は、ＦＬＣを指示するシグナリングを受信すると、すべての周波数に対して周波数間メジャーメントを遂行することに代わり、上記シグナリングに含まれている周波数(又は特定セル)のみを測定し、このとき、上記測定された周波数に属するセル又は特定セルに対して＜数３＞と＜数４＞を用いてＳ値(criteria)を計算し、計算されたＳ値が該当条件を満足すれば、セル再選択を遂行する。すなわち、ＦＤＤセルの場合、計算されたS_qualとS_rxlevが０より大きく、ＴＤＤセルである場合、計算されたSrxlevが０より大きい場合が該当する。
このとき、Ｓ値(criteria)を満足する上記周波数に属するセルや上記特定セルが複数であれば、上記セルが有するＳ値(S-criteria)を各々比較することによって、最も高い順位でセルを再選択する。
【００３５】
また、上記メジャーメント方法は、以前に図１で説明したＮＨＣＳ(Non ＨＣＳ、図１Ａ)とＨＣＳ(図１Ｂ)場合にすべて適用されることができる。ＨＣＳの場合は、ＦＬＣを指示するシグナリングを受信した場合、上記シグナリングに含まれている周波数(又は特定セル)のみを測定し、＜数３＞と＜数４＞をＳ値(S criteria)を計算するのに適用して、Ｓ＞０を満足するセルのうち、最も高い順位を有するセルを再選択するものである。
【００３６】
但し、ＨＣＳ場合、上記提案するメジャーメント方法によりＰＬにセル再選択が一度発生するようになれば、現在３ＧＰＰ Ｒ９９の標準で定義されているＨＣＳメジャーメント方法により、連続的なセル再選択遂行のピンポン現象が発生することもあるから、ＨＣＳの場合のメジャーメント方法の変更が必要である。これは、現在３ＧＰＰ Ｒ９９標準で定義されているセル再選択方法は、速い速度のユーザー端末機を除外すれば、高い優先順位レベルのセルに優先的にユーザー端末機を再選択させようとする傾向があるからである。すなわち、ＮＰＬに位置するユーザー端末機が上記提案するメジャーメント方法によりＰＬを再選択しても、もし新たなＰＬが以前のＮＰＬよりも低い優先順位を有していれば、さらに既存の３ＧＰＰ Ｒ９９のＨＣＳで定義されているメジャーメント方法により優先順位が高い以前のＮＰＬに再選択されることができ、このようなセル再選択は、継続的に反復できるものである。
【００３７】
また、ＰＬは地域的に異なるレイヤーを有することはできるが、一般的に同一のサービス地域で同じレイヤーを有することが、ＭＢＭＳサービスの選択的なコンバイニング(selective combining)などの利得がある。従いまして、ラジオリソースの不足などのような特別な理由がない限り、同じＰＬは同一のサービス地域にかけて位置する。もし一つのレイヤーがＮＰＬよりも低い優先順位を有するＰＬとして決定されていれば、現在３ＧＰＰ Ｒ９９で定義されたセル再選択スキームにより、ＰＬに位置するユーザー端末機がＮＰＬを再選択することもあり、その後、ＮＰＬがＰＬよりも高い優先順位を有するから、本発明に従うセル再選択スキームを通じてＰＬを再選択することもできる。しかしながら、このようなＵＥのセル再選択スキームはＵＥの移動性を考慮する場合、適切ではない。これはユーザー端末機が移動し、ＮＰＬがＰＬより高い優先順位を有するからである。ＰＬ→ＮＰＬ→ＰＬへのＵＥの移動は、サービスの途切れを誘発するので、セル再選択中に、ＵＥがＰＬ→ＰＬに移動することが望ましい。
【００３８】
従いまして、ＰＬに位置するＭＢＭＳサービスを受信しようとするユーザー端末機は、ＨＣＳのレイヤー優先順位などを考慮した現在３ＧＰＰ Ｒ９９のＨＣＳメジャーメント方法に従わないで、３ＧＰＰ Ｒ９９のＮＨＣＳのメジャーメント方法に従う。すなわち、Ｓｘ(現在セルの無線通信レベル)＜intra-ｆrequench Sintrasearch(周波数内のメジャーメントのためのしきい値)であるときには、現在セルの周波数内のメジャーメントのみを遂行し、Ｓｘ＜ inter-ｆrequench Sintersearch(周波数間メジャーメントのためのしきい値)であるときに、すべてのセルの周波数間メジャーメントを遂行する。このとき、ＨＣＳのレイヤーの優先順位は適用しないこともある。
ＨＣＳの場合、ユーザー端末機が速い速度に移動しているときには、現在３ＧＰＰ Ｒ９９標準で定義されているメジャーメント方法に従う。これは速い速度に移動しているユーザー端末機は、現在セルよりも高い優先順位を有するレイヤーに対してはメジャーメントを遂行せずに、セルを再選択する時、低い優先順位を有するレイヤーにセル再選択の優先順位を与えるからである。
【００３９】
図４は本発明の実施形態によってＭＢＭＳサービスのためのメジャーメント方法を遂行するユーザー端末機の動作流れを示す。このとき、ユーザー端末機は、特定ＭＢＭＳサービスを受信するために、ＮＰＬに位置している。
図４を参照すると、４０１ステップで、ＮＰＬに位置するＭＢＭＳサービスを受信しようとするユーザー端末機は、ＦＬＣを指示するシグナリングを受信する。上記シグナリングは、ＭＢＭＳサービスのセッションスタートの伝送前、又はセッションスタート伝送の中に受信することができる。上記受信されるシグナリングは、ＭＢＭＳ ＩＤと、ＰＬ情報と、ＭＢＭＳオフセットが含まれて伝送される。４０２ステップで、ユーザー端末機は上記シグナリングに含まれたＭＢＭＳサービスＩＤを用いて該当サービスに加入したかをチェックする。上記チェック結果、ユーザー端末機が上記サービスに加入しなかったら、ユーザー端末機は４０３ステップに進行してＦＬＣを遂行せずに、既存に定義されている３ＧＰＰ Ｒ９９のメジャーメント方法に従ってメジャーメントを遂行する。
【００４０】
一方、上記チェック結果、ユーザー端末機がＭＢＭＳサービスに加入したユーザー端末機であれば、４１１ステップに進行して現在セル構造がＨＣＳであるかをチェックする。もし、４１１ステップで、現在セル構造がＨＣＳであれば、４２１ステップでＦＬＣシグナリングに含まれたＰＬが現在セルよりも高い優先順位のレベルであり、ユーザー端末機が速い速度に移動中であるかを確認する。確認結果、ユーザー端末機が現在セル順位のレベルであり、ユーザー端末機が速い速度に移動中である場合、４０３ステップでＦＬＣは遂行せずに、既存の３ＧＰＰ Ｒ９９メジャーメント方法に従ってメジャーメントを遂行する。
【００４１】
一方、４１１ステップで、現在セル構造がＨＣＳでなければ、４１２ステップでユーザー端末機は、ＦＬＣシグナリングに含まれたＰＬ情報によって、ＰＬのみを用いてメジャーメントを遂行する。このとき、全体周波数内、周波数間の測定は考慮せず、ＰＬ情報に含まれたレイヤー又はセルのみの周波数レベルを測定する。ＰＬ情報は特定周波数のみを含むこともでき、特定セルを含むこともできる。
４１３ステップでは、上記測定されたＰＬに対して、＜数３＞及び＜数４＞を用いてＭＢＭＳオフセットが適用されたＳ値(S criteria)を計算する。
【００４２】
このとき、ＭＢＭＳオフセットは、ＦＬＣシグナリングを通じて伝送された値である。４３１ステップで、ＭＢＭＳオフセット値を適用したＳ値(S criteria)が該当条件を満足するセルが少なくとも一つ以上存在するかを確認する。ここで、該当条件は、ＦＤＤセルの場合、計算されたS_qualとS_rxlevが０より大きく、ＴＤＤセルである場合、計算されたSrxlevが０より大きい場合である。確認結果、存在する場合、４３２ステップで、Ｓ値が計算されたセルの中、最も大きいＳ値を有するセルを再選択する。
【００４３】
確認結果、該当条件を満足するＳ値(S-criteria)を有するセルが一つも存在しない場合、４３３ステップに進行してＦＬＣのためのＰＬに対したメジャーメントを現在ＰＬで継続的に遂行する。このとき、継続的なメジャーメント遂行は、ユーザー端末機の電力浪費をもたらすことがあるので、タイマーメカニズムなどを用いて割り当てられた時間の間だけＰＬに対するメジャーメントを遂行する。
【００４４】
図５は、本発明の望ましい実施形態によってＭＢＭＳサービスのためのメジャーメントを遂行するユーザー端末機の簡略な構成図である。
図５を参照すると、ユーザー端末機５００は、受信部５０２と、測定部５０６と、セル再選択判断部５０８と、制御部５０４とから構成される。このとき、ユーザー端末機５００は、特定ＭＢＭＳサービスを受信するために、ＮＰＬに位置している。
受信部５０２は、無線ネットワーク制御器から、ＭＢＭＳ ＩＤと、ＰＬに属するセルのＩＤと、ＭＢＭＳのオフセットが含まれるＦＬＣを指示するシグナリングをＭＢＭＳサービスのセッションスタートの伝送前、又はセッションスタート伝送の中に受信し、隣接セルの周波数レベルを受信する。受信部５０２は、制御部５０４の指示によって、再選択判断部５０８から伝送した隣接セルの情報に基づいて該当セルの周波数レベルを受信する。
【００４５】
制御部５０４は、受信部５０２から受信されたＭＢＭＳ ＩＤに基づいて、 ユーザー端末機がＭＢＭＳサービスに加入したかをチェックし、チェック結果、ＭＢＭＳサービスに加入したら、ＦＬＣシグナリングを通じて獲得したＰＬに含まれるセルに対してのみメジャーメントを遂行するように測定部５０６を指示する
測定部５０６は、制御部５０４の指示によって全体周波数内、周波数間の測定は考慮せず、ＰＬ情報に含まれたレイヤー又はセルのみのQ_qualmeas、Q_rxlevmeasを測定して、セル再選択判断部５０８に伝送する。
【００４６】
セル再選択判断部５０８は、測定されたＰＬに属するセルに対してＳ値(S-criteria)を各々計算する。Ｓ値は受信部５０２から獲得したＭＢＭＳオフセットを適用した＜数３＞と＜数４＞を用いて、S_qualとS_rxlevで各々計算される。セル再選択判断部５０８は、ＰＬに属するセルの計算されたＳ値(S-criteria)の中、該当条件を満足するセルが少なくとも一つ以上存在するかを判定する。ここで、該当条件は、ＦＤＤセルの場合、計算されたS_qualとS_rxlevが０より大きく、ＴＤＤセルである場合、計算されたSrxlevが０より大きい場合である。
【００４７】
判断結果、該当条件を満足するセルが一つでもある場合、制御部５０４は該当条件を満足するセルの中、最も大きいＳ値を有するセルを再選択するようにセル再選択判断部５０８を制御し、受信部５０２が再選択されたセルの周波数レベルを受信するように制御する。
すると、セル再選択判断部５０８は、制御部５０４の指示によって該当条件を満足するセルの中、最も大きいＳ値を有するセルを再選択し、選択されたセル情報を受信部５０２に伝送する。
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００４８】
【図１Ａ】同じサービス地域に同じサイズのセルが異なる周波数で重畳されているセルレイヤー構造を示す図である。
【図１Ｂ】同じサービス地域に異なるサイズのセルが異なる周波数で重畳されているセルレイヤー構造を示す図である。
【図２】ＭＢＭＳサービスに加入したユーザー端末機を選好周波数レイヤーで移動させる方法を示す図である。
【図３】ＭＢＭＳサービスに加入したユーザー端末機を現在３ＧＰＰ Ｒ９９標準で定義されているメジャーメント方法によって移動させる場合を示す図である。
【図４】本発明の実施形態によるＭＢＭＳサービスのためのユーザー端末機の動作を示すフローチャートである。
【図５】本発明の実施形態によるユーザー端末機の簡略な構成図である。
【符号の説明】
【００４９】
５００  ユーザー端末機
５０２  受信部
５０４  制御部
５０６  測定部
５０８  セル再選択判断部
【図１Ａ】
2007536871.tif 000011
【図１Ｂ】
2007536871.tif 000012
【図２】
2007536871.tif 000013
【図３】
2007536871.tif 000014
【図４】
2007536871.tif 000015
【図５】
2007536871.tif 000016
【国際調査報告】
2007536871.tif 000017
2007536871.tif 000018